(57)【特許請求の範囲】
【請求項１】
符号分割多元接続方式が用いられる無線通信システムに含まれ、上り方向の物理制御チャネルを介して移動機から制御情報を受信する無線基地局であって、
前記物理制御チャネルを介して前記移動機から送信されたコードワードと、前記コードワードのレプリカとの相関の程度を判定し、前記相関が所定の程度よりも高いと判定された前記レプリカを選択する相関判定部と、
前記相関判定部によって選択された前記レプリカに含まれる前記制御情報を同定する同定部と、
前記同定部によって前記制御情報が同定された場合、前記レプリカの数を低減するコードワードレプリカ制御部と
を備える無線基地局。
【請求項２】
前記同定部は、前記相関判定部によって順次選択された前記レプリカに含まれる制御情報が連続して同一である場合、連続して同一である前記制御情報を前記移動機から送信された制御情報と同定する請求項１に記載の無線基地局。
【請求項３】
前記同定部は、前記相関判定部によって順次選択された前記レプリカに含まれる制御情報が連続して整合している場合、連続して整合している前記制御情報を前記移動機から送信された制御情報と同定する請求項１に記載の無線基地局。
【請求項４】
前記コードワードレプリカ制御部は、前記同定部によって同定された前記制御情報のビット数に基づいて前記レプリカの数を低減する請求項１に記載の無線基地局。
【請求項５】
前記移動機の送信フォーマットを規定する送信フォーマット情報を取得する取得部を備え、
前記コードワードレプリカ制御部は、前記取得部によって取得された前記送信フォーマット情報に基づいて前記レプリカの数を制御する請求項１に記載の無線基地局。
【請求項６】
前記送信フォーマット情報は、上り方向の物理データチャネルにおける前記コードワードの最小拡散率及び最大多重コード数を含み、
前記コードワードレプリカ制御部は、前記最小拡散率と前記最大多重コード数との組合せに基づいて前記レプリカの数を制御する請求項５に記載の無線基地局。
【請求項７】
前記送信フォーマット情報は、前記移動機が送信するデータの送信時間間隔を含み、
前記コードワードレプリカ制御部は、前記最小拡散率、前記最大多重コード数及び前記送信時間間隔の組合せに基づいて前記レプリカの数を制御する請求項６に記載の無線基地局。
【請求項８】
前記取得部は、前記無線基地局を制御する無線ネットワーク制御装置から前記送信フォーマット情報を取得する請求項５に記載の無線基地局。
【請求項９】
前記物理制御チャネルの希望波信号電力対干渉電力比を取得する電力比取得部と、
前記希望波信号電力対干渉電力比との比較に用いられる閾値を制御する閾値制御部と
を備え、
前記閾値制御部は、前記レプリカの数が低減された場合、前記閾値を低下させる請求項１に記載の無線基地局。
【請求項１０】
前記物理制御チャネルの希望波信号電力対干渉電力比を取得する電力比取得部と、
前記希望波信号電力対干渉電力比との比較に用いられる閾値を制御する閾値制御部と
を備え、
前記閾値制御部は、前記移動機が送信するデータの送信時間間隔に基づいて、前記閾値を変更する請求項１に記載の無線基地局。
【請求項１１】
前記閾値制御部は、前記移動機が送信するデータの送信時間間隔が延長された場合、前記閾値を低下させる請求項１０に記載の無線基地局。
【請求項１２】
前記閾値制御部は、前記移動機が送信するデータの送信時間間隔が短縮された場合、前記閾値を上昇させる請求項１０に記載の無線基地局。
【請求項１３】
符号分割多元接続方式が用いられる無線通信システムに含まれ、上り方向の物理制御チャネルを介して移動機から制御情報を受信する物理制御チャネル受信方法であって、
前記物理制御チャネルを介して移動機から送信されたコードワードと、前記コードワードのレプリカとの相関の程度を判定し、前記相関が所定の程度よりも高いと判定された前記レプリカを選択するステップと、
選択された前記レプリカに含まれる前記制御情報を同定するステップと、
前記制御情報が同定された場合、前記制御情報の伝送に用いられる前記レプリカの数を低減するステップと
を備える物理制御チャネル受信方法。
【発明の詳細な説明】
【技術分野】
【０００１】
本発明は、符号分割多元接続方式が用いられる無線通信システムに含まれ、上り方向の物理制御チャネルを介して移動機から制御情報を受信する無線基地局及び物理制御チャネル受信方法に関する。
【背景技術】
【０００２】
符号分割多元接続（CDMA）方式が用いられる第３世代携帯電話システムの仕様の検討及び作成を行うThird Generation Partnership Project（3GPP）において、上り方向の通信速度を向上させたEnhanced Uplink（EUL）が規定されている（例えば、非特許文献１）。
【０００３】
EULでは、Enhanced Dedicated Physical Data Channel（E-DPDCH）や、Enhanced Dedicated Physical Control Channel（E-DPCCH）などの物理チャネルが用いられる。
【０００４】
E-DPCCHは、物理データチャネルであるE-DPDCH用の物理制御チャネルであり、各種の制御情報が伝送される。具体的には、移動機（UE）が保持するデータバッファ及び余剰送信電力を考慮して、無線基地局（Node B）が許容したデータ送信率以上のデータを移動機が送信することができるか否かを示すHappyビット、HARQに従ったデータの再送順序を示すRetransmission Sequence Number（RSN）、及びE-DCHの送信フォーマットを示すE-DCH Transport Format Combination Indicator（E-TFCI）が、E-DPCCHを用いて伝送される。
【０００５】
Happyビットには１ビット、RSNには２ビット、E-TFCIには７ビットがそれぞれ割り当てられる。すなわち、E-DPCCHを用いて伝送されるコードワードのビット数は、１０ビットである。
【０００６】
当該１０ビットのコードワードは、所定の誤り訂正符号、具体的には、Reed-Muller符号に基づいて３０ビットのビット系列に符号化される。また、当該コードワード（ビット系列）について、所定の拡散符号に基づいて、２１０個、つまり、１，０２４個のレプリカが生成される。
【０００７】
無線基地局は、移動機からE-DPCCHを介して受信したビット系列、具体的にはコードワードと、レプリカとの相関値を取得する。無線基地局は、当該相関値の導出の結果、最も相関ランキングの高いレプリカに対応するコードワードの内容を移動機から送信されたコードワードの内容と判定することによって、E-DPCCHを検出する。
【非特許文献１】“3GPP TS 25.309 V.6.6.0 FDD Enhanced Uplink Overall description Stage 2 (Release 6)”、３ＧＰＰ、２００６年３月
【発明の開示】
【発明が解決しようとする課題】
【０００８】
しかしながら、上述した物理制御チャネル（E-DPCCH）の検出方法には、次のような問題があった。すなわち、E-DPCCHには、CRCビットが付加されないため、HARQに従って再送されたビット系列が実際に移動機から送信されたビット系列であるか否かについて、不確実性が残存する。
【０００９】
このため、E-TFCIの値に基づいてE-DPDCHを介して受信したデータを復号する際、例えば、関連するHARQプロセスの初回と再送１回目とで異なるE-TFCIが判定された場合や、RSNの不整合が生じた場合、HARQのバッファ内容を消去する必要がある（再送毎に逆拡散前の受信E-DCH信号を保持することができない場合）。この結果、HARQによる再送回数が増加し、物理チャネル（E-DPCCH，E-DPDCH）におけるデータ伝送効率が低下する。
【００１０】
そこで、本発明は、このような状況に鑑みてなされたものであり、符号分割多元接続方式が用いられる場合において、上り方向の物理チャネルのデータ伝送効率を向上させた無線基地局及び物理制御チャネル受信方法を提供することを目的とする。
【課題を解決するための手段】
【００１１】
上述した問題を解決するため、本発明は、次のような特徴を有している。まず、本発明の第１の特徴は、符号分割多元接続方式が用いられる無線通信システム（第３世代携帯電話システム１）に含まれ、上り方向の物理制御チャネル（E-DPCCH）を介して移動機（移動機２００）から制御情報（例えば、E-TFCI１３）を受信する無線基地局（無線基地局１００）であって、前記物理制御チャネルを介して前記移動機から送信されたコードワード（コードワード２１）と、前記コードワードのレプリカ（コードワードレプリカ３１）との相関の程度を判定し、前記相関が所定の程度よりも高いと判定された前記レプリカを選択する相関判定部（相関部１１１）と、前記相関判定部によって選択された前記レプリカに含まれる前記制御情報を同定する同定部（同定部１２１）と、前記同定部によって前記制御情報が同定された場合、前記制御情報の伝送に用いられる前記レプリカの数を低減するコードワードレプリカ制御部（コードワードレプリカ生成部１０９）とを備えることを要旨とする。
【００１２】
このような無線基地局によれば、同定部によってE-TFCIなどの制御情報が同定された場合、コードワードのレプリカビット数が低減される。コードワードのレプリカビット数が低減されると、無線基地局は、少ないレプリカの中から送信されたビット系列（コードワード）の内容を判定することになるため、より高精度にE-DPCCHを検出できる。すなわち、このような無線基地局によれば、HARQによる再送回数を低減でき、物理チャネルのデータ伝送効率を向上させることができる。
【００１３】
本発明の第２の特徴は、本発明の第１の特徴に係り、前記同定部は、前記相関判定部によって順次選択された前記レプリカに含まれる制御情報（E-TFCI１３）が連続して同一である場合、連続して同一である前記制御情報を前記移動機から送信された制御情報と同定することを要旨とする。
【００１４】
本発明の第３の特徴は、本発明の第１の特徴に係り、前記同定部は、前記相関判定部によって順次選択された前記レプリカに含まれる制御情報（RSN１２）が連続して整合している場合、連続して整合している前記制御情報を前記移動機から送信された制御情報と同定することを要旨とする。
【００１５】
本発明の第４の特徴は、本発明の第１の特徴に係り、前記コードワードレプリカ制御部は、前記同定部によって同定された前記制御情報のビット数に基づいて前記レプリカの数を低減することを要旨とする。
【００１６】
本発明の第５の特徴は、本発明の第１の特徴に係り、前記移動機の送信フォーマットを規定する送信フォーマット情報を取得する取得部（最小ＳＦ・最大多重コード数・ＴＴＩ長検出部１０７）を備え、前記コードワードレプリカ制御部は、前記取得部によって取得された前記送信フォーマット情報に基づいて前記レプリカの数を制御することを要旨とする。
【００１７】
本発明の第６の特徴は、本発明の第５の特徴に係り、前記送信フォーマット情報は、上り方向の物理データチャネル（E-DPDCH）における前記コードワードの最小拡散率（Minimum SF）及び最大多重コード数（最大多重E-DPDCHコード数）を含み、前記コードワードレプリカ制御部は、前記最小拡散率と前記最大多重コード数との組合せに基づいて前記レプリカの数を制御することを要旨とする。
【００１８】
本発明の第７の特徴は、本発明の第６の特徴に係り、前記送信フォーマット情報は、前記移動機が送信するデータの送信時間間隔（TTI）を含み、前記コードワードレプリカ制御部は、前記最小拡散率、前記最大多重コード数及び前記送信時間間隔の組合せに基づいて前記レプリカの数を制御することを要旨とする。
【００１９】
本発明の第８の特徴は、本発明の第５の特徴に係り、前記取得部は、前記無線基地局を制御する無線ネットワーク制御装置（無線ネットワーク制御装置５０）から前記送信フォーマット情報を取得することを要旨とする。
【００２０】
本発明の第９の特徴は、本発明の第１の特徴に係り、前記物理制御チャネルの希望波信号電力対干渉電力比を取得する電力比取得部（E-DPCCH SIR取得部１１５）と、前記希望波信号電力対干渉電力比との比較に用いられる閾値を制御する閾値制御部（ＦＡ閾値制御部１２３）とを備え、前記閾値制御部は、前記レプリカの数が低減された場合、前記閾値を低下させることを要旨とする。
【００２１】
本発明の第１０の特徴は、本発明の第１の特徴に係り、前記物理制御チャネルの希望波信号電力対干渉電力比を取得する電力比取得部と、前記希望波信号電力対干渉電力比との比較に用いられる閾値を制御する閾値制御部とを備え、前記閾値制御部は、前記移動機が送信するデータの送信時間間隔（TTI）に基づいて、前記閾値を変更することを要旨とする。
【００２２】
本発明の第１１の特徴は、本発明の第１０の特徴に係り、前記閾値制御部は、前記移動機が送信するデータの送信時間間隔が延長された場合、前記閾値を低下させることを要旨とする。
【００２３】
本発明の第１２の特徴は、本発明の第１０の特徴に係り、前記閾値制御部は、前記移動機が送信するデータの送信時間間隔が短縮された場合、前記閾値を上昇させることを要旨とする。
【００２４】
本発明の第１３の特徴は、符号分割多元接続方式が用いられる無線通信システムに含まれ、上り方向の物理制御チャネルを介して移動機から制御情報を受信する物理制御チャネル受信方法であって、前記物理制御チャネルを介して移動機から送信されたコードワードと、前記コードワードのレプリカとの相関の程度を判定し、前記相関が所定の程度よりも高いと判定された前記レプリカを選択するステップと、選択された前記レプリカに含まれる前記制御情報を同定するステップと、前記制御情報が同定された場合、前記制御情報の伝送に用いられる前記レプリカの数を低減するステップとを備えることを要旨とする。
【発明の効果】
【００２５】
本発明の特徴によれば、符号分割多元接続方式が用いられる場合において、上り方向の物理チャネルのデータ伝送効率を向上させた無線基地局及び物理制御チャネル受信方法を提供することができる。
【発明を実施するための最良の形態】
【００２６】
次に、本発明の実施形態について説明する。具体的には、（１）無線通信システムの全体概略構成、（２）無線基地局の機能ブロック構成、（３）無線基地局の動作、（４）作用・効果及び（５）その他の実施形態について説明する。
【００２７】
なお、以下の図面の記載において、同一または類似の部分には、同一または類似の符号を付している。ただし、図面は模式的なものであり、各寸法の比率などは現実のものとは異なることに留意すべきである。
【００２８】
したがって、具体的な寸法などは以下の説明を参酌して判断すべきものである。また、図面相互間においても互いの寸法の関係や比率が異なる部分が含まれていることは勿論である。
【００２９】
（１）無線通信システムの全体概略構成
図１は、本実施形態に係る無線通信システム、具体的には、符号分割多元接続方式が用いられる第３世代携帯電話システム１の全体概略構成図である。第３世代携帯電話システム１は、Third Generation Partnership Project（3GPP）によって作成された仕様、具体的には、Enhanced Uplink（EUL）に従っている。
【００３０】
第３世代携帯電話システム１には、無線ネットワーク制御装置５０、無線基地局１００及び移動機２００が含まれる。なお、第３世代携帯電話システム１に含まれる無線基地局及び移動機の数は、図１に示す数に限定されない。
【００３１】
無線ネットワーク制御装置５０（ＲＮＣ）は、無線基地局１００（Node B）と移動機２００（UE）との無線通信に関する制御を実行する。
【００３２】
無線基地局１００は、移動機２００と符号分割多元接続方式に従った無線通信を実行する。具体的には、無線基地局１００は、下り無線信号ＳＤＮを移動機２００に送信する。一方、移動機２００は、上り無線信号ＳＵＰを無線基地局１００に送信する。
【００３３】
上り無線信号ＳＵＰには、上り方向において用いられる複数の物理チャネルが多重される。具体的には、上り方向における物理制御チャネル（E-DPCCH）や物理データチャネル（E-DPDCH）が多重される。
【００３４】
（２）無線基地局の機能ブロック構成
図２は、無線基地局１００の機能ブロック図である。図２に示すように、無線基地局１００は、無線信号送受信部１０１、逆拡散部１０３、ＲＡＫＥ合成部１０５、最小ＳＦ・最大多重コード数・ＴＴＩ長検出部１０７、コードワードレプリカ生成部１０９、相関部１１１、干渉電力測定部１１３、E-DPCCH SIR取得部１１５、ＦＡ判定部１１７、E-DPCCHビット系列検出部１１９、同定部１２１及びＦＡ閾値制御部１２３を備える。
【００３５】
なお、以下、本発明との関連がある部分について主に説明する。したがって、無線基地局１００は、無線基地局１００としての機能を実現する上で必須な、図示しない或いは説明を省略した機能ブロック（電源部など）を備える場合があることに留意されたい。
【００３６】
無線信号送受信部１０１は、下り無線信号ＳＤＮを無線基地局１００に送信する。また、無線信号送受信部１０１は、上り無線信号ＳＵＰを移動機２００から受信する。図８は、上り無線信号ＳＵＰに多重される物理チャネルの構成を示す。
【００３７】
具体的には、図８は、上り方向の物理データチャネル（E-DPDCH）、及び上り方向の物理制御チャネル（E-DPCCH）の構成を示す。図８に示すように、E-DPCCHは、E-DPDCHに付随する上り方向の制御チャネルである。無線基地局１００（無線信号送受信部１０１）は、E-DPCCHを介して移動機２００から各種の制御情報を受信する。
【００３８】
逆拡散部１０３は、無線信号送受信部１０１から出力された受信信号を、コードワードレプリカ３１（図２において不図示、図９参照）と同期させて逆拡散する。逆拡散部１０３は、受信信号を逆拡散することによって複数のパスに分離する。
【００３９】
ＲＡＫＥ合成部１０５は、逆拡散部１０３によって分離された複数のパスにおける受信信号の位相を補正した上で合成した信号（信号Z）を出力する。
【００４０】
最小ＳＦ・最大多重コード数・ＴＴＩ長検出部１０７は、移動機２００の移動機の送信フォーマットを規定する送信フォーマット情報を取得する。本実施形態において、最小ＳＦ・最大多重コード数・ＴＴＩ長検出部１０７は、取得部を構成する。
【００４１】
具体的には、最小ＳＦ・最大多重コード数・ＴＴＩ長検出部１０７は、Minimum SF、最大多重E-DPDCHコード数及びTTIを取得する。なお、E-TFS Sizeは、Minimum SF、最大多重E-DPDCHコード数及びTTIにより一意に定まる。
【００４２】
コードワードレプリカ生成部１０９は、コードワード２１のレプリカ信号であるコードワードレプリカ３１を生成する。具体的には、コードワードレプリカ生成部１０９は、１０ビットによって構成されるコードワード２１について、最大２１０個、つまり、１，０２４個のコードコードワードレプリカ３１を生成する。
【００４３】
コードワードレプリカ生成部１０９は、同定部１２１によって制御情報が同定された場合、生成するコードワードレプリカ３１の数を低減する。つまり、コードワードレプリカ生成部１０９は、同定部１２１によってコードワードレプリカ３１に含まれる制御情報が同定された場合、生成するコードワードレプリカ３１の数を１，０２４個よりも少なくする。
【００４４】
本実施形態では、コードワードレプリカ生成部１０９は、同定部１２１によって同定された制御情報（例えば、E-TFCI１３）のビット数（７ビット）に応じて、コードワードレプリカ３１の数を低減する。例えば、E-TFCI１３が同定された場合、コードワードレプリカ３１の数は、１，０２４個（２１０個）から８個（２３個）に低減される。
【００４５】
また、コードワードレプリカ生成部１０９は、最小ＳＦ・最大多重コード数・ＴＴＩ長検出部１０７によって取得された移動機２００の送信フォーマット情報に基づいて、生成するコードワードレプリカ３１の数を制御することができる。具体的には、コードワードレプリカ生成部１０９は、コードワード２１の最小拡散率（Minimum SF）と最大多重E-DPDCHコード数との組合せに基づいてコードワードレプリカ３１の数を制御する。
【００４６】
さらに、コードワードレプリカ生成部１０９は、Minimum SF、最大多重E-DPDCHコード数及び送信時間間隔（TTI）の組合せに基づいてコードワードレプリカ３１の数を制御することもできる。
【００４７】
相関部１１１は、ＲＡＫＥ合成部１０５から出力された信号Zに含まれるビット系列、具体的にはコードワードと、複数のコードワードレプリカ３１との相関を検出する。
【００４８】
図９は、E-DPCCHを介して伝送されるビット系列（コードワード空間）の構成例を示す。図９に示すように、ビット系列Ｂ１は、１０ビットによって構成されるコードワード２１を含む。コードワード２１は、各種の制御情報、具体的には、Happyビット１１、RSN１２及びE-TFCI１３の伝送に用いられる。
【００４９】
Happyビット１１は、移動機２００が保持するデータバッファ及び余剰送信電力を考慮して、無線基地局１００が許容したデータ送信率以上のデータを移動機２００が送信することができるか否かを、移動機２００から無線基地局１００に通知するために用いられる。Happyビット１１は、１ビットで表現される。
【００５０】
RSN１２（Retransmission Sequence Number）は、HARQに従ったデータの再送順序を示す。RSN１２は、２ビットで表現される。
【００５１】
E-TFCI１３（E-DCH Transport Format Combination Indicator）は、Enhanced Dedicated Channel（E-DCH）の送信フォーマットを示す。E-TFCI１３は、７ビットで表現される。
【００５２】
また、本実施形態では、１０ビットによって構成されるコードワード２１は、Reed-Muller符号に基づいて３０ビットのビット系列Ｂ２に符号化される。
【００５３】
相関部１１１は、E-DPCCHを介して移動機２００から送信されたビット系列Ｂ１と、コードワードレプリカ３１との相関の程度を判定する。相関部１１１は、当該相関が所定の程度よりも高いと判定、具体的には、当該相関が最も高いと判定されたコードワードレプリカ３１を選択する。相関部１１１は、選択したコードワードレプリカ３１、つまり、最も相関ランキングの高いコードワードレプリカ３１に対応するコードワードの内容を移動機２００から送信されたコードワード２１の内容と判定することによって、E-DPCCHを検出する。
【００５４】
干渉電力測定部１１３は、無線信号送受信部１０１が受信した上り無線信号ＳＵＰの干渉電力を測定する。特に、本実施形態では、干渉電力測定部１１３は、E-DPCCHにおける干渉電力を測定する。干渉電力測定部１１３は、測定したE-DPCCHにおける干渉電力値をE-DPCCH SIR取得部１１５に通知する。
【００５５】
E-DPCCH SIR取得部１１５は、E-DPCCHにおける希望波信号電力対干渉電力比（ＳＩＲ）を取得する。具体的には、E-DPCCH SIR取得部１１５は、干渉電力測定部１１３によって通知されたE-DPCCHの干渉電力値に基づいてE-DPCCHのＳＩＲを演算する。E-DPCCH SIR取得部１１５は、取得したＳＩＲをＦＡ判定部１１７に通知する。
【００５６】
ＦＡ判定部１１７は、E-DPCCH SIR取得部１１５によって通知されたE-DPCCHのＳＩＲが閾値（False Alarm Threshold）を上回るか否かを判定する。ＦＡ判定部１１７は、E-DPCCHのＳＩＲが閾値を上回る場合、E-DPCCHビット系列検出部１１９に対してE-DPCCHを介して受信したビット系列の検出を指示する。一方、ＦＡ判定部１１７は、E-DPCCHのＳＩＲが閾値以下の場合、上り方向の物理チャネル（E-DCH）は送信されていないと判定する。
【００５７】
E-DPCCHビット系列検出部１１９は、E-DPCCHを介して受信したビット系列の内容を検出する。
【００５８】
同定部１２１は、E-DPCCHビット系列検出部１１９によって検出されたビット系列に含まれる制御情報を同定する。具体的には、同定部１２１は、当該ビット系列に含まれるE-TFCI１３が２回連続して同一である場合、連続して同一であるE-TFCI１３（図９参照）の値を移動機２００から送信されたE-TFCIの値と同定する。
【００５９】
また、同定部１２１は、当該ビット系列に含まれるRSN１２の値（図９参照）が連続して整合している場合、連続して整合しているRSN１２の値を移動機２００から送信されたRSNの値と同定する。なお、E-TFCI及びRSNのより具体的な同定方法については、後述する。
【００６０】
ＦＡ閾値制御部１２３は、E-DPCCHの希望波信号電力対干渉電力比との比較に用いられる閾値（False Alarm Threshold）を制御する。特に、本実施形態では、ＦＡ閾値制御部１２３は、コードワードレプリカ３１の数が低減された場合、当該閾値を低下させる。
【００６１】
また、ＦＡ閾値制御部１２３は、移動機２００が送信するデータの送信時間間隔（TTI）が延長された場合、当該閾値を低下させる。さらに、ＦＡ閾値制御部１２３は、送信時間間隔（TTI）が短縮された場合、当該閾値を上昇させる。
【００６２】
（３）無線基地局の動作
次に、無線基地局１００の動作について説明する。具体的には、（３．１）E-DPCCHの検出動作、（３．２）送信フォーマット情報に基づくレプリカ数の変更動作、（３．３）制御情報の同定によるレプリカ数の変更動作、及び（３．４）希望波信号電力対干渉電力比の閾値の変更動作について説明する。
【００６３】
（３．１）E-DPCCHの検出動作
図３は、無線基地局１００がE-DPCCHを検出する動作フローを示す。図３に示すように、ステップＳ１０において、無線基地局１００は、アンテナ（不図示）を介して移動機２００から上り無線信号ＳＵＰを受信する。
【００６４】
ステップＳ２０において、無線基地局１００は、受信信号に含まれるE-DPCCHを逆拡散する。具体的には、無線基地局１００は、受信信号をコードワードレプリカ３１と同期させて逆拡散する。
【００６５】
ステップＳ３０において、無線基地局１００は、受信信号のＲＡＫＥ合成を実行し、信号Zを取得する。具体的には、無線基地局１００は、ＲＡＫＥ合成後の出力信号であるz[n]を（式１）を用いて算出する。
【数１】
0004907472.tif 000002
ここで、rk[n]は、kパス目の逆拡散符号を示す。ckは、kパス目のチャネル推定値を示す。また、nは、１サブフレーム（図８参照）あたりのE-DPCCH送信シンボルインデックス番号を表す（すなわち、n=0,…,29）。
【００６６】
ステップＳ４０において、無線基地局１００は、信号Zに含まれるビット系列と、複数のコードワードレプリカ３１との相関値zcorrの最大値ZMAXを用いて、E-DPCCHの希望波信号電力対干渉電力比（ＳＩＲ）を取得する。なお、相関値zcorrは、（式２）を用いて算出される（TTIが2msの場合）。
【数２】
0004907472.tif 000003
ここで、ti[n]は、E-DPCCHのコードワードレプリカ系列（コードワードレプリカ３１）を示す（ただし、i=0,…,TRmax-1とし、TRmaxはE-TFS Size×8とする。E-TFS Sizeは、Minimum SFと最大多重E-DPDCHコード数との組合せ毎に異なる）。また、TTIが10msの場合、当該サブフレームにおいて求めた相関値zcorrについて、TTI当たりの複数のサブフレーム（５サブフレーム分）の平均値を当該TTIにおける相関値zcorrとする。
【００６７】
また、E-DPCCHの希望波信号電力対干渉電力比は、（式３）を用いて算出される。
【数３】
0004907472.tif 000004
ここで、ディジタルドメインにおいて測定されたチップ単位のノイズレベルをσchipとし、SIRE-DPCCH（単位：ｄＢ）をDTX閾値係数（FAthreshold）とする。
【００６８】
ステップＳ５０において、無線基地局１００は、取得したE-DPCCHのＳＩＲが閾値（FAthreshold）を上回るか否かを判定する。
【００６９】
E-DPCCHのＳＩＲが閾値を上回る場合（ステップＳ５０のＹＥＳ）、ステップＳ６０において、無線基地局１００は、移動機２００からE-DCHが送信されていると判定する。
【００７０】
一方、E-DPCCHのＳＩＲが閾値以下である場合（ステップＳ５０のＮＯ）、ステップＳ７０において、無線基地局１００は、移動機２００からE-DCHが送信されていないと判定する。
【００７１】
ステップＳ８０において、無線基地局１００は、E-DPCCHを介して受信したビット系列の内容を検出する。
【００７２】
具体的には、無線基地局１００は、相関値zcorr[i]において、MAX[zcorr[i]]を満たすインデックス番号をicorr_maxとし、E-DPCCHのコードレプリカ系列ticorr_maxに対応するsecond order Reed-Muller符号化前のE-DPCCHのコードワードレプリカ系列xicorr_max[m]（ただし，m=0,…,9）を当該受信TTIにおけるE-DPCCHのコードワードと判定する。
【００７３】
（３．２）送信フォーマット情報に基づくレプリカ数の変更動作
図４は、無線基地局１００が送信フォーマット情報に基づいてコードワードのレプリカ数を変更する動作フローを示す。
【００７４】
図４に示すように、ステップＳ１１０において、無線基地局１００は、送信フォーマット情報、具体的には、Minimum SF及び最大多重E-DPDCHコード数を取得する。
【００７５】
ステップＳ１２０において、無線基地局１００は、取得したMinimum SF及び最大多重E-DPDCHコード数に基づいて、E-DPCCH用のコードワードレプリカ３１の数を設定する。
【００７６】
ここで、図１０（ａ）〜（ｃ）は、Minimum SF及び最大多重E-DPDCHコード数に対応して設定されるビット系列（コードワード空間）の例を示す。図１０（ａ）は、Minimum SFが２、最大多重E-DPDCHコード数が４の場合におけるビット系列Ｂ１１を示す。この場合、コードワードレプリカ３１の数は、１２８に設定される。
【００７７】
図１０（ｂ）は、Minimum SFが２、最大多重E-DPDCHコード数が２の場合におけるビット系列Ｂ１２を示す。この場合、コードワードレプリカ３１の数は、６４に設定される。図１０（ｃ）は、Minimum SFが４、最大多重E-DPDCHコード数が２の場合におけるビット系列Ｂ１３を示す。この場合、コードワードレプリカ３１の数は、３２に設定される。
【００７８】
なお、なお、E-TFS Sizeは、Minimum SF、最大多重E-DPDCHコード数及びTTIにより一意に定まるため、無線基地局１００は、Minimum SF、最大多重E-DPDCHコード数及びTTIの値に基づいてコードワードレプリカ３１の数を設定してもよい。
【００７９】
（３．３）制御情報の同定によるレプリカ数の変更動作
次に、無線基地局１００が制御情報を同定した場合、コードワードのレプリカ数を変更する動作について説明する。具体的には、無線基地局１００がE-TFCIまたはRSNの値を同定した場合において、コードワードのレプリカ数を変更する動作について説明する。
【００８０】
（３．３．１）E-TFCI
図５は、無線基地局１００がE-TFCIの値を同定した場合においてコードワードのレプリカ数を変更する動作フローを示す。
【００８１】
図５に示すように、ステップＳ２１０において、無線基地局１００は、E-DPCCHを介してE-TFCI１３（図９参照）を受信する。
【００８２】
ステップＳ２２０において、無線基地局１００は、同一の値を有するE-TFCIを２回連続して受信したか否かを判定する。
【００８３】
ここで、図１１（ａ）は、無線基地局１００が順次受信するE-TFCIの一例を示す。図１１（ａ）に示すように、無線基地局１００は、初回、及びHARQに従った再送１回目において、同一の値（＃１）を有するE-TFCIを連続して受信する。
【００８４】
同一の値を有するE-TFCIを２回連続して受信した場合（ステップＳ２２０のＹＥＳ）、ステップＳ２３０において、無線基地局１００は、連続して同一であるE-TFCIの値（＃１）を移動機２００から送信されたE-TFCIの値と同定する。
【００８５】
ステップＳ２４０において、無線基地局１００は、同定したE-TFCIの値（＃１）を用いてE-DPDCHの復号を実行する。つまり、無線基地局１００は、再送２回目や再送ｎ回目（図１１（ａ）参照）において受信したE-TFCIの値を参照せずに、初回及び再送１回目において受信したE-TFCIの値（＃１）を用いてE-DPDCHを介して受信したデータを復号する。
【００８６】
ステップＳ２５０において、無線基地局１００は、E-TFCIの値を同定したことに基づいて、E-DPCCHのコードワードレプリカ３１の数を１，０２４個（２１０個）から８個（２３個）に変更する。
【００８７】
ステップＳ２６０において、無線基地局１００は、E-TFCIの値を同定したことに基づいて、E-DPCCHの希望波信号電力対干渉電力比の閾値（FAthreshold）を低下させる。
【００８８】
（３．３．２）RSN
図６は、無線基地局１００がRSNを同定した場合においてコードワードのレプリカ数を変更する動作フローを示す。
【００８９】
図６に示すように、ステップＳ３１０において、無線基地局１００は、E-DPCCHを介してRSN１２（図９参照）を受信する。
【００９０】
ステップＳ３２０において、無線基地局１００は、整合のとれたRSNを連続して受信したか否かを判定する。
【００９１】
ここで、図１１（ｂ）は、無線基地局１００が順次受信するRSNの一例を示す。図１１（ｂ）に示すように、無線基地局１００は、初回及び再送１回目において、整合のとれたRSNを連続して受信する。具体的には、無線基地局１００は、初回において値が＃０であるRSNを受信し、再送１回目において、値が＃１であるRSNを受信する。
【００９２】
整合のとれたRSNを連続して受信した場合（ステップＳ３２０のＹＥＳ）、ステップＳ３３０において、無線基地局１００は、当該連続して受信したRSNに基づいてRSNの値を同定する。具体的には、無線基地局１００は、連続して受信し、かつ整合のとれたRSNの値を移動機２００から送信されたRSNの値と同定する。
【００９３】
ステップＳ３４０において、無線基地局１００は、同定したRSNの値を用いて、以降受信するRSNの値をインクリメントし、E-DPDCHを介して受信したデータを復号する。
【００９４】
ステップＳ３５０において、無線基地局１００は、無線基地局１００は、RSNの値を同定したことに基づいて、E-DPCCHのコードワードレプリカ３１の数を１，０２４個（２１０個）から２５６個（２８個）に変更する。
【００９５】
ステップＳ３６０において、無線基地局１００は、RSNの値を同定したことに基づいて、E-DPCCHの希望波信号電力対干渉電力比の閾値（FAthreshold）を低下させる。
【００９６】
（３．４）希望波信号電力対干渉電力比の閾値の変更動作
図７は、無線基地局１００がE-DPCCHの希望波信号電力対干渉電力比の閾値（FAthreshold）を変更する動作フローを示す。
【００９７】
図７に示すように、ステップＳ４１０において、無線基地局１００は、移動機２００のTTIを取得する。
【００９８】
ステップＳ４２０において、無線基地局１００は、移動機２００のTTIが2msから10msに変更されたか否かを判定する。
【００９９】
移動機２００のTTIが10msから2msに変更された場合（ステップＳ４２０のＹＥＳ）、ステップＳ４３０において、無線基地局１００は、E-DPCCHの希望波信号電力対干渉電力比の閾値（FAthreshold）を低下させる。
【０１００】
なお、無線基地局１００は、ステップＳ４３０の処理を実行後、移動機２００のTTIが2msから10msに変更された場合、低下させた当該閾値を上昇させてもよい。
【０１０１】
（４）作用・効果
無線基地局１００によれば、同定部１２１によって制御情報、具体的には、RSN１２またはE-TFCI１３の値が同定された場合、コードワードレプリカ３１の数が低減される。コードワードレプリカ３１の数が低減されると、無線基地局１００は、少ないコードワードレプリカ３１の中から送信されたビット系列（コードワード）の内容を判定することになるため、より高精度にE-DPCCHを検出できる。すなわち、無線基地局１００によれば、HARQによる再送回数を低減でき、物理チャネルのデータ伝送効率を向上させることができる。
【０１０２】
本実施形態では、同定部１２１は、E-TFCI１３の値が連続して同一である場合、連続して同一であるE-TFCI１３の値を移動機２００から送信されたE-TFCIと同定する。また、同定部１２１は、RSN１２の値が連続して整合している場合、連続して整合しているRSN１２の値を移動機２００から送信されたRSNと同定する。E-TFCIやRSNが同定された場合、コードワードレプリカ３１の数が低減され、上述したように、より高精度にE-DPCCHを検出できる。このため、HARQによる再送回数が低減され、物理チャネルのデータ伝送効率がさらに向上する。
【０１０３】
本実施形態では、コードワードレプリカ生成部１０９は、最小ＳＦ・最大多重コード数・ＴＴＩ長検出部１０７によって取得された送信フォーマット情報に基づいてコードワードレプリカ３１の数を制御することができる。このため、送信フォーマット情報（例えば、最大多重E-DPDCHコード数）に応じたコードワードレプリカ３１の数を設定することによって、無線基地局１００は、より高精度にE-DPCCHを検出できる。
【０１０４】
本実施形態では、ＦＡ閾値制御部１２３は、コードワードレプリカ３１の数が低減された場合、E-DPCCHの希望波信号電力対干渉電力比の閾値（False Alarm Threshold）を低下させる。当該閾値が低下すると、無線基地局１００は、これまで受信できなかった物理チャネルを受信できるようになる。ここで、E-DPCCHのコードワードレプリカ３１の数も低減されているため、無線基地局１００は、閾値を低下する前では受信してもエラー（erroneous detection）になってしまっていたE-DPCCHを受信できるようになる。つまり、物理チャネル（E-DPCCH）のデータ伝送効率がさらに向上する。
【０１０５】
（５）その他の実施形態
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【０１０６】
例えば、上述した本発明の実施形態では、同一の値を有するE-TFCIを２回連続して受信した場合、無線基地局１００は、連続して同一であるE-TFCIの値を移動機２００から送信されたE-TFCIの値と同定したが、E-TFCIの値の同定は、同一の値を有するE-TFCIを２回連続して受信した場合に限られない。例えば、３回連続して受信した場合にE-TFCIの値を同定してもよい。
【０１０７】
上述した実施形態では、RSNまたはE-TFCIの値を同定したことに基づいて、E-DPCCHの希望波信号電力対干渉電力比の閾値（FAthreshold）を低下させていたが、当該閾値は、必ずしも変更しなくても構わない。
【０１０８】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【図面の簡単な説明】
【０１０９】
【図１】本発明の実施形態に係る無線通信システムの全体概略構成図である。
【図２】本発明の実施形態に係る無線基地局の機能ブロック図である。
【図３】本発明の実施形態に係る無線基地局がE-DPCCHを検出する動作フローを示す図である。
【図４】本発明の実施形態に係る無線基地局が送信フォーマット情報に基づいてレプリカの数を変更する動作フローを示す図である。
【図５】本発明の実施形態に係る無線基地局がE-TFCIの値を同定した場合においてレプリカの数を変更する動作フローを示す図である。
【図６】本発明の実施形態に係る無線基地局がRSNを同定した場合においてレプリカの数を変更する動作フローを示す図である。
【図７】本発明の実施形態に係る無線基地局がE-DPCCHの希望波信号電力対干渉電力比の閾値（FAthreshold）を変更する動作フローを示す図である。
【図８】本発明の実施形態に係る上り方向の物理データチャネル（E-DPDCH）、及び上り方向の物理制御チャネル（E-DPCCH）の構成を示す図である。
【図９】本発明の実施形態に係るE-DPCCHを介して伝送されるビット系列（コードワード空間）の構成例を示す図である。
【図１０】本発明の実施形態に係るMinimum SF及び最大多重E-DPDCHコード数に対応して設定されるビット系列（コードワード空間）の例を示す図である。
【図１１】本発明の実施形態に係る無線基地局が順次受信するE-TFCI及びRSNの例を示す図である。
【符号の説明】
【０１１０】
１…第３世代携帯電話システム、１１…Happyビット、１２…RSN、１３…E-TFCI、２１…コードワード、３１…コードワードレプリカ、５０…無線ネットワーク制御装置、２００…移動機、１００…無線基地局、１０１…無線信号送受信部、１０３…逆拡散部、１０５…ＲＡＫＥ合成部、１０７…最小ＳＦ・最大多重コード数・ＴＴＩ長検出部、１０９…コードワードレプリカ生成部、１１１…相関部、１１３…干渉電力測定部、１１５…E-DPCCH SIR取得部、１１７…ＦＡ判定部、１１９…E-DPCCHビット系列検出部、１２１…同定部、１２３…ＦＡ閾値制御部、Ｂ１，Ｂ２，Ｂ１１〜Ｂ１３…ビット系列、ＳＤＮ…下り無線信号、ＳＵＰ…上り無線信号
【図１】
0004907472.tif 000005
【図２】
0004907472.tif 000006
【図３】
0004907472.tif 000007
【図４】
0004907472.tif 000008
【図５】
0004907472.tif 000009
【図６】
0004907472.tif 000010
【図７】
0004907472.tif 000011
【図８】
0004907472.tif 000012
【図９】
0004907472.tif 000013
【図１０】
0004907472.tif 000014
【図１１】
0004907472.tif 000015